(57)【要約】      （修正有）【課題】インクカートリッジにインクを満杯まで充填しやすく且つ大量の気泡が残留しないインクカートリッジ充填装置を提供する。【解決手段】充填待ちインクカートリッジにインクを充填する負圧型インクカートリッジ充填装置は、充填用インクの貯蔵に用いるインクベッセルと、一端にインクベッセルにあるインクが入る入口端を有し、他端にインクカートリッジに繋がる出口端を有する、インクをインクカートリッジに送るための注入通路と、インクベッセルとつながり、インクベッセルの空気を抽出するために、アスピレーターが接続される抽出口を有する抽出通路と、インク充填時、インクカートリッジを、インクカートリッジに繋がる出口端を入口端の上方に位置させた状態で保持するインクカートリッジ位置決め機構を有する。【選択図】図１
0003166084.tif 000002
【実用新案登録請求の範囲】
【請求項１】
充填待ちインクカートリッジにインクを充填する負圧型インクカートリッジ充填装置であって、
充填用インクの貯蔵に用いるインクベッセルと、
一端に前記インクベッセルにあるインクが入る入口端を有し、他端に前記インクカートリッジに繋がる出口端を有する、インクを前記インクカートリッジに送るための注入通路と、
前記インクベッセルとつながり、前記インクベッセルの空気を抽出するために、アスピレーターが接続される抽出口を有する抽出通路と、
インク充填時、前記インクカートリッジを、前記インクカートリッジに繋がる前記出口端を前記入口端の上方に位置させた状態で保持するインクカートリッジ位置決め機構を有する負圧型インクカートリッジ充填装置。
【請求項２】
前記出口端が前記充填待ちインクカートリッジのインク出口とつながる請求項１の負圧型インクカートリッジ充填装置。
【請求項３】
前記出口端が充填待ちインクカートリッジのインク注入口とつながる請求項１の負圧型インクカートリッジ充填装置。
【請求項４】
前記インクカートリッジ位置決め機構の片側側面にスロットを設けてある請求項１〜３のいずれかの負圧型インクカートリッジ充填装置。
【請求項５】
前記インクベッセルが前記インクカートリッジ位置決め機構と一体化に成型され又は溶接され若しくはクランピング接続されて一体化されている請求項１〜４のいずれかの負圧型インクカートリッジ充填装置。
【請求項６】
前記インクカートリッジ位置決め機構とつながるアップカバーを有し、前記アップカバーに前記インクカートリッジをシールして前記インクカートリッジ充填装置に固定するシール部を設けてある請求項１〜５のいずれかの負圧型インクカートリッジ充填装置。
【請求項７】
前記アップカバーの一端が前記インクカートリッジ位置決め機構の他方端部とヒンジで連結し、他端に前記スロットに組合せるバックルが設けてある請求項６の負圧型インクカートリッジ充填装置。
【請求項８】
前記出口端をシールする密封機構を有し、前記密封機構はシール、ゴムプラグ及びスリーブからなり、前記シールリングに凹部を設けており、前記ゴムプラグが前記凹部に組み合わされ、前記スリーブが前記ゴムプラグに組み合わされる請求項１〜７のいずれかの負圧型インクカートリッジ充填装置。
【請求項９】
前記抽出口をシールするセルフクローズシールリングを備えている請求項１〜８のいずれかの負圧型インクカートリッジ充填装置。
【考案の詳細な説明】
【技術分野】
【０００１】
本考案は、負圧型インクカートリッジ充填装置に関する。
【背景技術】
【０００２】
インクジェットプリンターのプリント方式は、通常、インク収納用のインクカートリッジから提供されたインクを対応するインク流動通路を経てレコーディングヘッドに送り、プリント信号の駆動によりインクをレコーディングヘッドに設けるノズルから紙等の記録媒体に噴射して文字又は図形を印刷するものである。
【０００３】
レコーディングヘッドとインクカートリッジとの配置関係により、インクジェットプリンターインクカートリッジは、一体式インクカートリッジと、組み合わせ式インクカートリッジの２種類に分類される。一体式インクカートリッジでは、レコーディングヘッドとインクベッセルチャンバーを一体化し、レコーディングヘッドはインクカートリッジのインク出口に設置される。組み合わせ式インクカートリッジでは、レコーディングヘッドはインクベッセルチャンバーから分離され、インクベッセルチャンバーはインクを収納しないが、レコーディングヘッドがインクジェットプリンターの文字車（ワードカー）に設置される。一体式インクカートリッジのレコーディングヘッドは損壊しやすく、且つレコーディングヘッドの価格が比較的高いので、多くのユーザーは組み合わせ式インクカートリッジを選択する傾向にある。
【０００４】
現在、市場ではこのような組み合わせ式インクカートリッジがよく見られる。このインクカートリッジは、負圧チャンバーとインクチャンバーを含み、これら二つチャンバーの間が一つ連通口を通じて接続されている。また、負圧チャンバーは、毛細作用を利用してインクを保持するスポンジとプリンターのインク供給針に接続されるインク出口を有する。一方、インクチャンバーは、インク注入口を有する。このような組み合わせ式インクカートリッジは、インクが消費されると廃棄される。しかし、カートリッジを構成するプラスチックやフイルム等の構成部は、ほとんど自然的に分解せず、資源の浪費及び環境汚染を起こしやすい。そのため、最も適切な対策は、インクを使い切ったインクカートリッジにインクを補充（充填）し、再利用に供することである。
【０００５】
中国特許２００９１０１０９２９３.６には、負圧を利用したインクカートリッジ充填装置が提案されている。この充填装置は、充填用インクを貯蔵するためのインクベッセル、インクを充填待ちインクカートリッジに充填用インクを送るインク供給用チューブ、インクベッセルの上方に設けられた抽出通路、及び充填待ちインクカートリッジを固定するインクカートリッジ固定用の部品を含み、抽出通路がインクベッセルと直接につながり、アスピレーターを用いてインクベッセルにある空気を抽出する。
【０００６】
上述の負圧インク充填装置を利用して組み合わせ式インクカートリッジにインクを充填する場合、充填待ちインクカートリッジを固定部品を用いて組合せ充填装置に固定する。これにより、インクカートリッジのインク出口がインク提供チューブに接続し、インクベッセルがインクカートリッジとの間に一つ密閉空間を形成する。次に、アスピレーターを抽出通路に接続し、インクベッセルとインクカートリッジの中にある空気を抽出する。続いて、アスピレーターを放す。その結果、気圧がバランスをすべく、自動的にインクベッセル内にあるインクを吸収し、インクがインク提供チューブを経て負圧チャンバーに入り、更に連通口を経由してインクチャンバーに入る。
【０００７】
しかし、この充填方法では、アスピレーターの容量が限られているため、インクカートリッジにインクを満杯に注入するためには何回もアスピレーターで抽気作業を繰り返し行わなければならない。また、注入過程で、インクは先に負圧チャンバーに入り、それから連通口を通じて更にインクチャンバーに入るので、アスピレーターで何回も空気を抽出するとき、インクチャンバーに注入したインクが抽出され、インクチャンバーにインクを満杯にし難く、大量の気泡が残留する。その結果、インクカートリッジにインクが充填された後、このインクカートリッジを用いてプリントを行うと、プリント不良を発生するという問題がある。
【先行技術文献】
【特許文献】
【０００８】
【特許文献１】中国特許２００９１０１０９２９３.６号明細書
【考案の概要】
【考案が解決しようとする課題】
【０００９】
本考案は、負圧型インクカートリッジ充填装置を提供し、従来の負圧型インクカートリッジ充填装置ではインクカートリッジにインクを満杯まで充填し難く且つ大量の気泡が残留するという技術問題を解決することを目的とする。
【課題を解決するための手段】
【００１０】
この目的を達成するため、本考案は、充填待ちインクカートリッジにインクを充填する負圧型インクカートリッジ充填装置に、
充填用インクの貯蔵に用いるインクベッセルと、
一端に前記インクベッセルにあるインクが入る入口端を有し、他端に前記インクカートリッジに繋がる出口端を有する、インクを前記インクカートリッジに送るための注入通路と、
前記インクベッセルとつながり、前記インクベッセルの空気を抽出するために、アスピレーターが接続される抽出口を有する抽出通路と、
インク充填時、前記インクカートリッジを、前記インクカートリッジに繋がる前記出口端を前記入口端の上方に位置させた状態で保持するインクカートリッジ位置決め機構を設けたものである。
【００１１】
本考案の他の形態は、前記出口端が前記充填待ちインクカートリッジのインク出口とつながる。
【００１２】
本考案の他の形態は、前記出口端が充填待ちインクカートリッジのインク注入口とつながる。
【００１３】
本考案の他の形態は、前記インクカートリッジ位置決め機構の片側側面にスロットを設けてある。
【００１４】
本考案の他の形態は、前記インクベッセルが前記インクカートリッジ位置決め機構と一体化に成型され又は溶接され若しくはクランピング接続されて一体化されている。
【００１５】
本考案の他の形態は、前記インクカートリッジ位置決め機構とつながるアップカバーを有し、前記アップカバーに前記インクカートリッジをシールして前記インクカートリッジ充填装置に固定するシール部を設けてある。
【００１６】
本考案の他の形態は、前記アップカバーの一端が前記インクカートリッジ位置決め機構の他方端部とヒンジで連結し、他端に前記スロットに組合せるバックルが設けてある。
【００１７】
本考案の他の形態は、前記出口端をシールする密封機構を有し、前記密封機構はシール、ゴムプラグ及びスリーブからなり、前記シールリングに凹部を設けており、前記ゴムプラグが前記凹部に組み合わされ、前記スリーブが前記ゴムプラグに組み合わされる。
【００１８】
本考案の他の形態は、前記抽出口をシールするセルフクローズシールリングを備えている。
【考案の効果】
【００１９】
本考案によれば、インクカートリッジ位置決め機構は、出口端がインクカートリッジのインク流動重力方向にある上流でインクカートリッジを固定するため、インクカートリッジを満杯に注入しやすいだけでなく、大量の空気が残留せず、インクカートリッジを満杯に注入しにくく且つ大量の気泡を残留するという問題がない。
【図面の簡単な説明】
【００２０】
【図１】図１は、本考案の実施例１及び実施例２に係るインクカートリッジ充填装置を用いてインクが充填されるインクカートリッジの断面図である。
【図２ａ】図２aは、本考案の実施例１に係るインクカートリッジ充填装置の前方斜視図である。
【図２ｂ】図２ｂは、本考案の実施例１に係るインクカートリッジ充填装置の後方斜視図である。
【図３】図３は、本考案の実施例１に係るインクカートリッジ充填装置の分解斜視図である。
【図４ａ】図４ａは、インクカートリッジを装着した本考案の実施例１に係るインクカートリッジ充填装置の断面図である。
【図４ｂ】図４ｂは、インクカートリッジにインクを充填する直前の、インクカートリッジ充填装置の断面図である。
【図４ｃ】図４ｃは、インクカートリッジを抽気している状態を示す、インクカートリッジ充填装置の断面図である。
【図４ｄ】図４ｄは、インクカートリッジにインクを充填している状態を示す、インクカートリッジ充填装置の断面図である。
【図４ｅ】図４ｅは、インクカートリッジを再び抽気している状態を示す、インクカートリッジ充填装置の断面図である。
【図５】インクカートリッジを装着した本考案の実施例２に係るインクカートリッジ充填装置の断面図である。
【図６】実施例２のインクカートリッジ充填装置を用いてインクカートリッジにインクを充填する状態を示す断面図である。
【考案を実施するための形態】
【００２１】
本考案の実施例は、その技術内容と利点をより明らかにすることを意図するものである。以下、本考案の技術的内容を、その実施例を示す図面を参照して説明する。当然、以下に説明する実施例は、本考案の一部の実施例であり、すべての実施例を示すものではない。以下に説明する本考案の実施例に基づいて、本考案の属する技術分野における当業者は、そこに記載された実施例がすべて本考案の技術範囲に属するものと理解するであろう。
【００２２】
本考案によれば、負圧型インクカートリッジ充填装置において、インクカートリッジ位置決め機構は、インクカートリッジをインク注入通路の出口端がインクカートリッジのインク流通重力方向の上流側で位置決めされ、何回も抽気する際に既に注入したインクを抽出することがなく、インクカートリッジにインクを満杯に注入することを保証し、また、インクカートリッジに空気ができるだけ残留しないことを保証し、充填後のインクカートリッジを用いたプリントが良好に行われることを保証するものである。
【００２３】
以下、添付の図面に示す具体的な実施例を通じて、本実用新型の技術内容を詳細に説明する。
【実施例１】
【００２４】
図１は、充填待ちインクカートリッジ１５の概略構造を示す図である。図１に示すように、インクカートリッジ１５の内部は、仕切り板１５３により、負圧チャンバー１５１とインクチャンバー１５２に分けられ、両者は仕切り板１５３の下方に形成された連通口１５３１を介して連通しており、インクチャンバー１５２は連通口１５３１を通じて負圧チャンバーに接続されている以外は密閉空間を形成している。負圧チャンバー１５１は、インク保持用の吸収構造部品１５１１を含む。吸収構造部品は、実質的に多孔性の材料（例えば、スポンジ１５１１）で形成されている。負圧チャンバー１５１の底壁には、プリンターのレコーディングヘッドにインクを提供するためのインク出口１５４が設けてある。また、負圧チャンバー１５１の天井には、外気をインクカートリッジ１５内に送るエアガイド口１５６が設けてある。したがって、負圧チャンバー１５１にあるインクは、記録（印字）の進行とともに、インクチャンバー１５２にあるインクが連通口１５３１を通じて負圧チャンバー１５１に入ると同時に、負圧チャンバー１５１にある空気も連通口１５３１を経由してインクチャンバー１５２に入り、インクチャンバー１５２にあるインクが負圧チャンバー１５１にある空気と連通口１５３１を通じて交換される。また、負圧チャンバー１５１にある空気がインクチャンバー１５２にあるインクと絶えず交換されることに伴って、外気がエアガイド口１５６を通じて負圧チャンバー１５１に補充される。
【００２５】
インク出口１５４は、綿芯１５７が設けてある。綿芯１５７の密度は、負圧チャンバー１５１にある吸収構造品スポンジ１５１１より高い。したがって、インクカートリッジ１５を用いてプリントを行う際、インクはインク出口１５４へ導かれる。インクカートリッジ１５はまた、インク注入口１５５を有する。インク注入口１５５は、インクチャンバー１５２の上方にあり、通常初めてインクを注入した後、スチールボールを利用してシールされ、インクカートリッジ１５の運送中又は使用中のインクの漏れを防止する。図示しないが、インクカートリッジ１５のインクチャンバー１５２の底壁には、そこに存在するインク余剰量を検査するためのプリズムが設けられる。プリズムを利用してインク余剰量を検査する方法は、本技術分野に公知の技術であり、ここでは説明を省略する。図１に示すように、インクカートリッジ１５は、第一接合部１５９を持つ可動ロッド部品１５８と第二接合部１６０が設けてあり、インクカートリッジ１５をプリンターに装着したとき、対応するプリンターの取り合い構造（固定構造）と組み合わされて、インクカートリッジ１５をプリンターに固定する。
【００２６】
図２a、図２b及び図３は、本実施例のインクカートリッジ充填装置１の概略構造を示す図である。図３から分かるように、インクカートリッジ充填装置１は、充填待ちインクカートリッジ１５に充填するインクを貯蔵するインクベッセル２と、インクベッセル２にあるインクをインクカートリッジ１５への送るためのインク注入通路３を有する。インク注入通路３は、インクカートリッジ１５のインク出口１５４に繋がる出口端３１、及びインクベッセル２からインクを導き入れる入口端３２を有し、インクベッセル２にあるインクをインクカートリッジ１５へ送るために用いられる。抽出通路４は、インクベッセル２と連通しており、抽出口４１を有し、インク充填時、インクベッセル２とインクカートリッジ１５に負圧を形成し、インクベッセル２とインクカートリッジ１５にある空気の抽出するために利用される。アスピレーター１２は、空気を抽出するために抽出通路４の抽出口４１に接続されており、スリーブ本体１２１、ピストン１２３、ピストンロッド１２４、及びハンドル１２２からなる。ピストンロッド１２４は、ピストン１２３と一緒に固定されており、ピストン１２３がスリーブ本体１２１の中を上下に移動し、空気を抽出し或は排出する。インクカートリッジ位置決め機構５は、インクカートリッジ１５を充填装置１に位置決めするために用いられ、片側壁にスロット５２が設けてある。この位置決め機構は、インクベッセル２との間に差込接続或いは溶接を利用して一体的に形成できる。実施例では、射出成形によってインクベッセル２に一体的に形成されている。また、図３に示すように、インクカートリッジ１５を所定位置に制限するために、位置決め機構５の内側にリブ５１が設けてある。アップカバー６は、その一端がインクカートリッジ位置決め機構５にヒンジで連結されており、インクカートリッジ位置決め機構５を取り囲んで所定角度を回転できるようになっている。また、アップカバー６は、その他端にバックル（係合部）６２が形成され、インクカートリッジ位置決め機構５の側壁に設けたスロット（被係合部）５２と係合できるようにしてあり、インクカートリッジ１５をインクカートリッジ位置決め機構５に装着した後、アップカバー６はそれをインクカートリッジ充填装置１に固定可能である。
【００２７】
その他、アップカバー６はシール部６１を有し、このシール部６１でインクカートリッジ１５を充填装置１に固定するようにしてある。シール部６１は、凸部６１１とシリカゲルスリーブ６１２からなっている。凸部６１１は、アップカバー６の内側に設けてあり、インクカートリッジ１５にあるエアガイド口１５６に対応している。シリカゲルスリーブ６１２は弾性材料で形成されており、凸部６１１のサイズに合わせて、凸部６１１を囲っている。そのため、アップカバー６が回転してインクカートリッジ１５を固定する時、シール部６１がエアガイド口１５６をシールし、外気の進入を防止する。インクカートリッジ１５は、インク出口１５４を介してインクベッセル２に接続される以外、完全な密閉空間を形成している。このとき、インクカートリッジ充填装置１とインクカートリッジ１５が一つ密閉空間を形成している。シール部６１はインクカートリッジ１５を固定して上方への移動を規制しており、インクカートリッジ１５をインクカートリッジ充填装置１に安定的に保持することを保証する。
【００２８】
図４aに示すように、充填時、インク注入通路３の出口端３１はインクカートリッジ１５のインク出口１５４とつながる。また、インク出口１５４は連通口１５３１の上方にあり、連通口１５３１がインクカートリッジ１５に注入するインクの重力方向にある。したがって、インクカートリッジ位置決め機構５は、出口端３１がインクカートリッジ１５をインクカートリッジ１５のインク流通重力方向に向けて位置を決めされ、インクカートリッジ１５に注入するインクは重力の作用で、重力方向に沿って連通口１５３１を経由して、優先的にインクチャンバー１５２の下に集中する。そのため、インクチャンバー１５２にインクが満杯に注入されている場合を除き、連通口１５３１は常にインクチャンバー１５２の空気と連通している。したがって、何回抽出しても、インクチャンバー１５２に注入したインクを抽出することはなく、インクチャンバー１５２にインクが満杯に注入されることを保証するとともに、インクカートリッジ１５にインクが満杯に注入され、大量に気泡を残留しないことを保証する。
【００２９】
図３に示すように、インクカートリッジ充填装置１は、インク注入通路３の出口側３１をシールするための密封機構を有する。実施例において、密封機構は、シールリング７、ゴムプラグ８、及びスリーブ９を有する。シールリング７は、シリカゲル、ゴム等弾性材で形成されており、一つ凹部を有し、その凹部中央に一つセルフクローズスロットが形成され、出口側３１に組み合わされるようになっている。ゴムプラグ８は、上部と下部を有し、下部の直径がシールリング７の凹部に一致させてあり、上部の直径がスリーブ９の内径に合わせてあり、ゴムプラグ８がシールリング７の凹部に組み合わされ、スリーブ９がゴムプラグ８と組み合わされる。この密封機構を設置する目的は、インクカートリッジ充填装置を空輸する場合、インクベッセルと外気との間の圧力差によりシールリング７のセルフクローズスリットが開いてインク漏れを発生するのを防止するためである。すなわち、密封機構を採用することにより、たとえシールリング７のセルフクローズスロットが開いた場合でも、ゴムプラグ８がインクの流出を防止する。スリーブ９はエンジニアリングプラスチックで形成され、ゴムプラグ８はプラスチック又はシリカゲルで形成される。充填装置１を小型化にするためにインクカートリッジ１５の収納スペースを小さくしたうえに、ゴムプラグ８だけで凹部をシールしようとすれば、使用時、ユーザーは狭いスペースに手を入れてゴムプラグ８を取り出さなければならず、作業が面倒になる。そこで、実施例では、スリーブ９を設け、これをゴムプラグ８と一体に組み合わすとともに、スリーブ９の長さをインクカートリッジ位置決め機構５から上方に突出するようにすることで、使用時、ユーザーは、スリーブ９を持ってゴムプラグ８を抜き出すことができ、容易にインク注入通路３を開放できる。なお、スリーブ９の長さは、アップカバー６を閉じた状態で、その内側にあるシール部６１がスリーブ９の上端に圧接するように決めることが好ましい。これにより、アップカバー６を閉じた状態で、密封機構はその上端と下端がアップカバー６とインク出口１５４によって安定的に保持され、インクの漏れを確実に防止する。
【００３０】
また、本実施例では、抽出通路４の抽出口４１は、セルフクローズシールリング１０でシールされている。セルフクローズシールリング１０は、シリカゲルで形成されており、良好的な弾力性を有する。また、セルフクローズシールリング１０は、一つチャンバーを形成しており、そのチャンバーが抽出通路４と連通する壁に自身を貫通するセルフクローズスロットを備えている。通常セルフクローズスロットは閉鎖状態にあり、アスピレーター１２を挿入することによりセルフクローズスロットが開状態に変わり、アスピレーター１２とインクベッセル２の間と連通する。図２aに示すように、充填装置１はまた、ユーザーが充填装置１を握りやすいようにホルダー部１１を備えており、このホルダー部１１が充填装置１の外壁に平行に伸びる複数の凹部溝で形成されている。ホルダー部１１は、隣接する充填装置との間の接続部（接続手段）としても利用でき、その場合、他方の充填装置の外部に、凹部溝形状に係合する凸部を形成すればよい（図示せず）。このようにすることで、ユーザーは、異なる色のインクが入ってある充填装置を連結することができる。図２b及び図３に示すように、アップカバー６とインクベッセル２に、抽出通路４に面する片側にそれぞれに防滑クッション１３と１４を設けることが好ましい。これらのクッションは、所定の摩擦力と抵抗力を持つ材料で作り、インクカートリッジ充填装置の充填時、滑りが発生しにくいことを確保し、充填がスムーズに行うことを保証する。
【００３１】
ユーザーがインクカートリッジの充填状況を見えるようにするために、本実施例では、インクカートリッジ充填装置１が透明材で形成されている。
【００３２】
以下、図３a〜図６を参照して、インクカートリッジ充填装置１の使用を説明する。
【００３３】
（１）インクカートリッジ充填装置１を一つの平面上に設置し、アップカバー６を開け、スリーブ９を掴んで、ゴムプラグ８を抜く。
【００３４】
（２）インクカートリッジ１５をインクカートリッジ充填装置１に装着する。この時、インクカートリッジ１５の可動ロッド１５８、第一接合部１５９、及び第二接合部１６０を、それぞれに充填装置１のインクカートリッジ位置決め機構５の対応する取り合い構造に組み合わせ、インクカートリッジ１５を充填装置１に位置を決めし、インクカートリッジ１５のインク出口１５４をインク注入通路３の出口端３１に接続する。その後、アップカバー６を閉じ、そのバックル６２をインクカートリッジ位置決め機構５のスロット５２とバックル合わせ（係合）して、インクカートリッジ１５を充填装置１に固定する。この時、インクカートリッジ１５の連通口１５３１は出口端３１の下にあり、入口端３２が容器２の底部に近づき、インクカートリッジ充填装置１とインクカートリッジ１５が一つ密閉空間を形成している。
【００３５】
（３）図４bに示すように、事前に準備しておいたアスピレーター１２を抽出通路４の抽出口４１に挿入し、セルフクローズシールリング１０のセルフクローズスロットを開け、アスピレーター１２をインクベッセル２に連通させ、それからアスピレーター１２のハンドル１２２を持って、ピストンロッド１２４を引いてピストン１２３を上に動かす。これにより、インクベッセル２にある空気は、図４cに示す矢印に沿ってアスピレーター１２に流れ、この時シールリング７はインクベッセル２とインクカートリッジ１５の両側の圧力差に基づき、セルフクローズスロットを開放し、インクカートリッジ１５にある気体が図示する矢印方向に沿ってインク注入通路３を経由してインクベッセル２に流れ、更にアスピレーター１２に流れ、インクベッセル２及びインクカートリッジ１５に所定負圧を形成する。
【００３６】
（４）図４dに示すように、アスピレーター１２を放す。これにより、ピストン１２３が大気圧の作用でゆっくり下に動き、インクベッセル２にあるインクが図示する矢印方向にインクの流入口側３２、出口側３１、インク出口１５４を経由してインクカートリッジ１５に入る。この時、連通口１５３１がインク出口１５４の下方にあるため、インクが重力作用で連通口１５３１を経由してインクチャンバー１５２に流れ、インクチャンバー１５２の下方に止まる。
【００３７】
（５）更にアスピレーター１２を引抜き抽気する。これにより、図４eの矢印に示すように、インクチャンバー１５２の上方にある空気が抽出される。その後、アスピレーター１２を放すと、インクベッセル２にあるインクがインクカートリッジ１５、特にインクチャンバー１５２に注入される。
【００３８】
（６）以上の工程が繰返し行われ、インクカートリッジ１５にインクが満杯まで注入される状況が外部から見える。次に、アップカバー６を開け、インクカートリッジ１５を取り外し、元のゴムプラグとスリーブ等部品で再び出口側３１をシールする。インクカートリッジ１５が半導体チップを有する場合、チップリセット装置を利用してチップ内部の情報をリセットする。
【００３９】
このように構成されたインクカートリッジ充填装置は、この負圧型充填装置の輸送中、またはユーザーが放置している間、その配置方向が充填時の方向と異なる。
【００４０】
また、本技術分野の技術者は、上述の充填待ちインクカートリッジがインクチャンバーを具備しない、スポンジだけを備えたインクカートリッジであってもよいと理解すべきである。
【００４１】
上述のように、本考案のインクカートリッジ充填装置によれば、出口端３１はインクカートリッジ１５のインク流通重力方向にある上流を通じてインク出口１５４とつながる。したがって、充填時、インクカートリッジ１５のインク出口１５４は連通口１５３１の上方にあり、インクカートリッジを注入するインクの重力により、インクカートリッジのインクが満杯に注入しやすいことを保証し、何回抽出する場合でも、その前に注入したインクが抽出されることがなく、インクカートリッジに大量の気泡が残留せず、充填後のインクカートリッジがプリント不良を招来することもなく、充填後のインクカートリッジを用いたプリントの品質を十分に保証する。
【実施例２】
【００４２】
実施例２が実施例１と違うところは、図５に示すように、インク注入通路３００の出口端３００１がインクカートリッジ１５のインク注入口１５５とつながり、インク出口１５４、入口端３００２に近接するインクベッセル２の底部とつながるのではない点である。この状態でも、出口端３００１はインクカートリッジ１５のインク流通重力方向の上流にあり、インクカートリッジ１５にインクを充填する時、インク注入口１５５が連通口１５３１の上方にある。
【００４３】
インクカートリッジ充填装置１００のその他構造は実施例１に類似しているので、その他の説明は省略する。
【００４４】
以下、本実施例に係るインクカートリッジ充填装置１００の使用を簡単に説明する。
【００４５】
（１）穴あけ工具を利用してインクカートリッジ１５のインク注入口１５５にあるスチールボールを取り外してインク注入口１５５を開ける。穴あけ工具は、本分野でよくある技術であり、市場でも入手できる製品であるので、ここでは詳細な説明は省略する。
【００４６】
（２）インクカートリッジ充填装置１００を一つ平面に置き、インク注入通路３００のシールパーツを抜け取る。シールパーツは、実施例１と同様な構造を採用でき、普通のゴムプラグを採用できる。ここでは説明を省略する。
【００４７】
（３）インクカートリッジ１５をインクカートリッジ充填装置１００に装着して固定する。この状態で、インクカートリッジ１５のインク注入口１５５は、出口端３００１と接続し、連通口１５３１の上方にあり、インクカートリッジ充填装置１とインクカートリッジ１５に一つ密閉空間を形成している。
【００４８】
（４）図６に示すように、事前に準備していたアスピレーター１２を抽出通路４００の抽出口４００１に挿入し、ピストン１２３を引き上げる。これにより、インクベッセル２にある空気は、図示する矢印に沿ってアスピレーター１２に流れる。このとき、密閉空間の気圧がバランスを取るべく、シールリング７のセルフクローズスロットが開き、インクカートリッジ１５にある気体は、図示する矢印方向に沿ってインク注入通路３００を経由してインクベッセル２に流れ、更にアスピレーター１２に流れ、インクベッセル２及びインクカートリッジ１５の中に所定の負圧を形成する。
【００４９】
（５）その後、アスピレーター１２を放す。これにより、ピストン１２３が大気圧の作用でゆっくり下に動き、インクベッセル２にあるインクが図に示す矢印の方向に沿って、インク注入通路３００、インクカートリッジのインク注入口１５５を経由してインクカートリッジ１５に入り、インクチャンバー１５２の下に止まる。
【００５０】
（６）再度アスピレーター１２を引いて抽気を行い、インクチャンバー１５２の上方にある空気を抽出する。その後、アスピレーター１２を放すると、同様にインクベッセル２にあるインクがインクカートリッジ１５、特に、インクチャンバー１５２に注入される。
【００５１】
（７）以上の過程が繰返し行われ、インクカートリッジ１５にインクが満杯まで注入され、その状況が外部から観察できる。その後、インクカートリッジ１５を取り外し、事前に準備しておいたゴムプラグを利用してインク注入口をシールし、元のシールパーツを利用してインク注入通路３００をシールすればいい。インクカートリッジ１５にチップを設ける場合、チップリセット装置を利用してチップ内部の情報にリセットする必要がある。
【００５２】
以上の説明は本考案の好適な実施例に関するものである。したがって、当業者にとって、本考案の技術的範囲を逸脱しない範囲で、若干の変形と改良を行え、例えば柱状穴をピストンの片側に設ける溝等に変更することも可能であり、そのような変形と改良はすべて本考案の技術的範囲に属するものである。
【符号の説明】
【００５３】
１、１００：インクカートリッジ充填装置、２：インクベッセル、３、３００：インク注入通路、３１、３００１：出口端、３２、３００２：入口端、４、４００：抽出通路、４１、４００１：抽出口、５：インクカートリッジ位置決め機構、５１：リブ、５２：スロット、６：アップカバー、６１：シールパーツ、６１１：凸部、６１２：シリカゲルスリーブ、６２：バックル、７：シールリング、８：ゴムプラグ、９：スリーブ、１０：セルフクローズシールリング、１１：ホルダー部、１２：アスピレーター、１２１：スリーブ本体、１２２：ハンドル、１２３：ピストン、１２４：ピストンロッド、１３、１４：防滑クッション、１５：インクカートリッジ、１５１：負圧チャンバー、１５１１：吸収体、１５２：インクチャンバー、１５３：仕切り板、１５３１：連通口、１５４：インク出口、１５５：インク注入口、１５６：エアガイド口、１５７：綿芯、１５８：可動ロッド、１５９：第一接合部、１６０第二接合部。
【図１】
0003166084.tif 000003
【図２ａ】
0003166084.tif 000004
【図２ｂ】
0003166084.tif 000005
【図３】
0003166084.tif 000006
【図４ａ】
0003166084.tif 000007
【図４ｂ】
0003166084.tif 000008
【図４ｃ】
0003166084.tif 000009
【図４ｄ】
0003166084.tif 000010
【図４ｅ】
0003166084.tif 000011
【図５】
0003166084.tif 000012
【図６】
0003166084.tif 000013